(57)【要約】  【課題】  この発明は、紙幣を入出金取引する紙幣処理装置において、入出金口を共通化することで、装置のコンパクト化を図り、その入出金口の近傍に集積ホールを設けることで、紙幣の詰まり等を防止しつつも、その入出金口内に操作者が手を差し込んでも、集積ホイールを破損しないようにした紙幣処理装置を提供することを目的とする。  【解決手段】  保護板２４は、集積ホイール１７の露出部分に位置し、集積ホイール１７を保護している。具体的には、この保護板２４は、略上下方向に延びて紙幣繰出し時集積紙幣Ａ…を押圧する押圧面２４ａと、略水平方向に延びて上方からの操作者の手の差込み投入に対して集積ホイールを保護する保護面２４ｂと、を有する略Ｌ字状断面のプレート部材で構成され、集積ホイール１７の外周端よりも縦壁部２２側に位置することで、集積ホイール１７を保護している。  【選択図】  図２
2005275521.tif 000002
【特許請求の範囲】
【請求項１】
紙幣の入金と出金とを行う紙幣処理装置にあって、
該装置に対して紙幣の入出金を行う入出金口と、
該入出金口内に露出するように配置され、該入出金口内に紙幣を一枚ずつ分離集積する集積ホイールと、
該集積ホイールの露出部分に位置し、集積ホイールを保護する保護部材と、
該保護部材を、集積ホイールを保護する保護位置、紙幣集積に影響を与えない退避位置、及び集積紙幣を押圧する押圧位置にそれぞれ移動させる移動制御手段とを備えた
紙幣処理装置。
【請求項２】
紙幣の入金と出金とを行う紙幣処理装置にあって、
該装置に対して紙幣の入出金を行う入出金口と、
該入出金口内に露出するように配置され、該入出金口内に紙幣を一枚ずつ分離集積する集積ホイールと、
該集積ホイールの露出部分に位置し、集積ホイールを保護する保護部材と、
前記集積ホイールの紙幣集積時に、前記保護部材を前記集積ホイールの保護位置から紙幣集積に影響を与えない退避位置に移動させる移動制御手段とを備えた
紙幣処理装置。
【請求項３】
前記移動制御手段は、前記保護部材を、入出金時に集積ホイールを保護する保護位置に移動させ、紙幣繰出時に前記入出金口内の紙幣を繰出すべく紙幣を押圧する押圧位置にそれぞれ移動させるように構成した
請求項２記載の紙幣処理装置。
【請求項４】
前記保護部材を、紙幣繰出し時に集積紙幣を押圧する押圧板で構成した
請求項１〜３記載の紙幣処理装置。
【請求項５】
前記集積ホイールを、複数の片が所定の傾斜角を持って放射状に延びる回転体で構成し、
該集積ホイールを、その片が前記入出金口の紙幣投入方向に略対向して延びるように配置した
請求項１〜４記載の紙幣処理装置。
【請求項６】
前記集積ホイールを、回転軸方向に離間して複数設け、
該複数の集積ホイールの間に、前記保護部材を配置し、
前記保持位置では、該保護部材を集積ホイールの外周端より外方に突出させ、前記退避位置では、該保護部材を集積ホイールの回転軸側に没入するように、前記移動制御手段を制御した
請求項１又は２記載の紙幣処理装置。
【請求項７】
前記集積ホイールの回転軸方向に集積ホイールと保護部材を複数交互に配置し、
該保護部材を外端部に位置するように設定した
請求項６記載の紙幣処理装置。
【請求項８】
前記保護部材を、集積紙幣を押圧する略上下方向に延びる押圧面と該押圧面の上端から略水平方向に延びて集積ホイールを保護する保護面を備える断面略Ｌ字状のプレート部材で構成した
請求項１、３〜７記載の紙幣処理装置。
【請求項９】
前記保護部材の押圧面と保護面を連続する曲面によって連ならせた
請求項８記載の紙幣処理装置。
【請求項１０】
前記保護部材の保護面の端部に上方に突出する鉤部を設けた
請求項８記載の紙幣処理装置。
【発明の詳細な説明】
【技術分野】
【０００１】
この発明は、銀行等の金融機関に設置されて紙幣を入出金取引する紙幣処理装置に関し、詳しくは、装置自体をコンパクトにしつつ、紙幣の搬送処理をより効率的に行い、さらに、装置内部の破損を防止するようにした紙幣処理装置に関する。
【背景技術】
【０００２】
一般に、この種の紙幣処理装置においては、紙幣を装置に入金する入金口と紙幣を出金する出金口を備えている。これら入金口と出金口には、それぞれ異なった機能が求められ、入金口では、集積投入された紙幣を一枚ずつ装置内に取り込む機能が求められ、出金口では、装置内から一枚ずつ搬送されてきた紙幣を集積する機能が求められる。このため、通常、紙幣処理装置では入金口と出金口を別々に設けている。
【０００３】
もっとも、近年では、装置のコンパクト化を図るべく入金口と出金口を共通化したものも提案されている。
【０００４】
なお、下記特許文献１では、入金口と出金口を別々に設けたものを開示している。この特許文献１では、装置のコンパクト化を図るため、出金口と一時保留部を共通化したものを開示し、その共通化に付随して、紙幣の集積性能に優れる集積ホイール（羽根車）を出金口近傍に配置する構造を開示している。
【０００５】
【特許文献１】特開平９−１１３１５５号。
【発明の開示】
【発明が解決しようとする課題】
【０００６】
ところで、このような紙幣処理装置では、新しい紙幣だけではなく、市場で流通した紙幣も処理するため、様々な紙幣に対応することが求められる。こうした処理紙幣の中には、損傷が非常に多いものもあり、このような損傷の多い紙幣を集積した場合には、集積幅も新しい紙幣の集積幅より増大してしまう。
【０００７】
例えば、海外においては、紙幣の扱いが粗雑であるため、このように損傷の多い紙幣が流通している場合が多く、集積幅が増大することが多い。
【０００８】
しかし、一般の紙幣処理装置では、出金口の紙幣収納スペースにそのまま紙幣を集積する「空間集積」といわれる方式により紙幣集積を行うため、前述のように紙幣の集積幅が増大すると、限られた出金口の紙幣収容スペースでは出金額が限られてしまうといった問題や、集積された紙幣が整列せず、紙幣収納スペース内での詰まり、所謂ジャムの原因を誘発するといった問題が生じることになる。
【０００９】
そこで、損傷の多い紙幣を集積する場合であっても、集積幅を減少し、紙幣を整列させる方法として、前述の特許文献１にも開示されているように、出金口の紙幣集積に集積ホイールを用いることが考えられる。
【００１０】
確かに、特許文献１のように集積ホイールを用いて紙幣を集積することにより、損傷の多い紙幣であっても、集積幅をコンパクトにすることができるため、前述の問題を解消できる。
【００１１】
しかしながら、前述の特許文献１の場合には別の問題がある。それは、出金口と入金口を別々に設けているため、入出金のためのレイアウトスペースを、確保する必要が生じ、装置自体をコンパクトにできないという問題である。
【００１２】
この問題に対しては、前述のように入金口と出金口を共通化して一つの入出金口で紙幣の入出金を行う構成を採用することが考えられる。
【００１３】
しかし、このように、集積ホイールを出金口の近傍に設けるものにおいて入出金口を一つとしてしまうと、また新たな問題が生じる。それは、操作者が入金を行う場合に入出金口内の紙幣収納スペースに手を入れて、その紙幣収納スペースに露出した集積ホイールを破損させてしまうという問題である。
【００１４】
すなわち、入金口と出金口を共通化すると、操作者がその紙幣収納スペースに手を差し込む可能性が生じ、その手によって、集積ホイールを破損させてしまうおそれが生じるのである。
【００１５】
そこで、この発明は、紙幣を入出金取引する紙幣処理装置において、入出金口を共通化することで、装置のコンパクト化を図り、その入出金口の近傍に集積ホールを設けることで、紙幣の詰まり等を防止しつつも、その入出金口内に操作者が手を差し込んでも、集積ホイールを破損しないようにした紙幣処理装置を提供することを目的とする。
【課題を解決するための手段】
【００１６】
この発明による紙幣処理装置は、紙幣の入金と出金とを行う紙幣処理装置にあって、該装置に対して紙幣の入出金を行う入出金口と、該入出金口内に露出するように配置され、該入出金口内に紙幣を一枚ずつ分離集積する集積ホイールと、該集積ホイールの露出部分に位置し、集積ホイールを保護する保護部材と、該保護部材を、集積ホイールを保護する保護位置、紙幣集積に影響を与えない退避位置、及び集積紙幣を押圧する押圧位置にそれぞれ移動させる移動制御手段とを備えたものである。
【００１７】
上記構成によれば、紙幣の入金を行う入金口と出金を行う出金口を一つの入出金口とすることで共通化して、その入出金口内に露出するように配置した集積ホイールで紙幣を一枚ずつ入出金口内に集積し、その集積ホイールを露出部分に位置する保護部材で保護しつつ、その保護部材を、集積ホイールを保護する保護位置、紙幣集積に影響を与えない退避位置、及び集積紙幣を押圧する押圧位置に、それぞれ移動制御手段で移動させることになる。
【００１８】
すなわち、入出金口を一つとすることで装置のコンパクト化を図り、集積ホイールを用いることで損傷が多い紙幣の集積であっても集積幅の増大を防ぎ、また、集積ホイールを保護する保護部材を、移動制御手段で保護位置、退避位置、押圧位置といった３つの位置を移動させるため、一つの保護部材に様々な機能を持たせることができる。
【００１９】
具体的には、保護位置に移動させることにより、集積ホイールを保護する機能、退避位置に移動させることにより、集積ホイールの紙幣集積を阻害しない機能、さらに押圧位置に移動させることにより、繰出す集積紙幣を押圧する機能を、一つの保護部材に持たせることができる。
【００２０】
この発明による紙幣処理装置は、紙幣の入金と出金とを行う紙幣処理装置にあって、該装置に対して紙幣の入出金を行う入出金口と、該入出金口内に露出するように配置され、該入出金口内に紙幣を一枚ずつ分離集積する集積ホイールと、該集積ホイールの露出部分に位置し、集積ホイールを保護する保護部材と、前記集積ホイールの紙幣集積時に、前記保護部材を前記集積ホイールの保護位置から紙幣集積に影響を与えない退避位置に移動させる移動制御手段とを備えたものである。
【００２１】
上記構成によれば、紙幣の入金を行う入金口と出金を行う出金口を、一つの入出金口とすることで共通化して、その入出金口内に露出するように配置した集積ホイールで紙幣を一枚ずつ入出金口内に集積し、その集積ホイールを露出部分に位置する保護部材で保護しつつ、集積ホイールの紙幣集積時には、その保護部材を移動制御手段で紙幣集積に影響を与えない退避位置に移動させることになる。
【００２２】
すなわち、紙幣の入出金口を一つとすることで、装置のコンパクト化を図り、集積ホイールで紙幣を集積することで、損傷が多い紙幣の集積であっても集積幅の増大を防ぎ、また、この集積ホイールの露出部分を、移動制御手段で移動可能な保護部材で保護することで、操作者の手との干渉を防ぐのである。
【００２３】
なお、この保護部材は、集積ホイールの露出部分を保護するものであれば、特に形状及び移動形態は限定されるものではなく、例えば、集積ホイールの露出部分を操作者から目視できないように覆うものや、また目視できたとしても、その露出部分に操作者の手が触れないように保護するもの、さらに手が触れるとしても、容易に触れることができないように保護するものまで含みうるものである。
【００２４】
この発明の一実施態様においては、前記移動制御手段は、前記保護部材を、入出金時に集積ホイールを保護する保護位置に移動させ、紙幣繰出時に前記入出金口内の紙幣を繰出すべく紙幣を押圧する押圧位置にそれぞれ移動させるように構成したものである。
【００２５】
上記構成によれば、移動制御手段が、保護部材を、入出金時には集積ホイールを保護する保護位置に移動させ、紙幣繰出時には紙幣を押圧する押圧位置に移動させるため、保護部材に、入出金時、紙幣繰出時それぞれに応じた様々な機能を持たせることができる。
【００２６】
この発明の一実施態様においては、前記保護部材を、紙幣繰出し時に集積紙幣を押圧する押圧板で構成したものである。
【００２７】
上記構成によれば、紙幣繰出し時に紙幣に押圧する押圧板で保護部材を構成しているため、既存の押圧板に集積ホイールの保護機能を与えることができ、別途保護部材のため、別部材を設けなくてもよい。
【００２８】
よって、部品点数を増加させることなく、コストアップをできるだけ抑えて、集積ホイールの破損を防止することができる。
【００２９】
この発明の一実施態様においては、前記集積ホイールを、複数の片が所定の傾斜角を持って放射状に延びる回転体で構成し、該集積ホイールを、その片が前記入出金口の紙幣投入方向に略対向して延びるように配置したものである。
【００３０】
上記構成によれば、集積ホイールを、その片が入出金口の紙幣投入方向に略対向して延びるように配置しているため、破損しやすい集積ホイールの片と紙幣投入を行う操作者の手とが干渉しやすくなるが、前述のように保護部材で集積ホイールを保護するため、操作者の手が集積ホイールに干渉することなく、集積ホイールの破損を防止することができる。
【００３１】
この発明の一実施態様においては、前記集積ホイールを、回転軸方向に離間して複数設け、該複数の集積ホイールの間に、前記保護部材を配置し、前記保護位置では、該保護部材を集積ホイールの外周端より外方に突出させ、前記退避位置では、該保護部材を集積ホイールの回転軸側に没入するように、前記移動制御手段を制御したものである。
【００３２】
上記構成によれば、複数の集積ホイールを回転軸方向に離間して配置し、その集積ホイールの間に保護部材を配置し、その間で保護部材が出没するように移動制御手段を制御することになる。このため、保護部材は、集積ホイールの間のスペースで出没することになるため、保護部材の退避スペースを別途設ける必要がない。よって、装置を大型化することなく保護部材を配置することができる。
【００３３】
この発明の一実施態様においては、前記集積ホイールの回転軸方向に集積ホイールと保護部材を複数交互に配置し、該保護部材を外端部に位置するように設定したものである。
【００３４】
上記構成によれば、集積ホイールと保護部材を交互に配置し、保護部材を外端部に配置することになるため、集積ホイールは外端部には位置しない。このため、紙幣集積時に紙幣の端部を集積ホイールで挟み込まないため、端部が垂れ下がるような損傷の多い紙幣であっても、確実に集積することができる。よって、損傷が多い紙幣であってもスムーズに集積することができる。
【００３５】
この発明の一実施態様においては、前記保護部材を、集積紙幣を押圧する略上下方向に延びる押圧面と該押圧面の上端から略水平方向に延びて集積ホイールを保護する保護面を備える断面略Ｌ字状のプレート部材で構成したものである。
【００３６】
上記構成によれば、押圧面と保護面とを有する断面略Ｌ字状のプレート部材で保護部材を構成しているため、それぞれの面で押圧機能と保護機能を確実に確保することができる。すなわち、押圧する方向が略水平方向であるため、それと直交する略上下方向に押圧面を設けることで押圧機能を確保することができ、また、操作者の手を差し込む方向が略上下方向であることから、それと直交する略水平方向に保護面を設けることで保護機能を確保することができるのである。
【００３７】
この発明の一実施態様においては、前記保護部材の押圧面と保護面を連続する曲面によって連ならせたものである。
【００３８】
上記構成によれば、保護部材の押圧面と保護面とが曲面でなだらかに連なることになるため、押圧面に押圧機能だけでなく集積ホイールの保護機能を持たせることができる。よって、押圧面を利用して保護面積を広く確保することができる。
【００３９】
この発明の一実施態様においては、前記保護部材の保護面の端部に上方に突出する鉤部を設けたものである。
【００４０】
上記構成によれば、保護部材の保護面の端部に上方に突出する鉤部を設けたことにより、集積ホイールによる紙幣集積後、集積ホイール上に集積途中の紙幣が残存していたとしても、保護部材を移動させる際にその鉤部で集積方向に払い落とすことができるため、集積ホイール上に紙幣を残存させることなく、紙幣を確実に集積することができる。よって、紙幣の搬送処理をより効率的に行うことができる。
【発明の効果】
【００４１】
この発明によれば、紙幣の入出金口を一つとすることで装置のコンパクト化を図り、集積ホイールで紙幣を集積することで損傷が多い紙幣の集積であっても集積幅の増大を防ぎ、また、この集積ホイールの露出部分を、移動制御手段で移動可能な保護部材で保護することで、操作者の手との干渉を防ぐことになる。
【００４２】
よって、入出金口を共通化することで装置のコンパクト化を図り、その入出金口の近傍に集積ホイールを設けることで、紙幣の詰まり等を防止しつつも、その入出金口内に操作者が手を差し込んでも、集積ホイールを破損しないようにすることができる。
【発明を実施するための最良の形態】
【００４３】
以下、図面に基づいてこの発明の実施形態を詳述する。  
図１は本実施態様の紙幣処理装置の内部構造を示した概略図である。この紙幣処理装置１は上部一側（図中右上）に、紙幣の入出金を行う入出金口１１を設け、この入出金口１１の上方には、異物等の返却を行う返却口トレー１２を設けている。
【００４４】
また、入出金口１１と連通する装置内方には、入出金紙幣の真偽や金種を識別する識別部１３と、識別部を通過した紙幣を入出金が確定するまで一旦保留する一時保留部１４と、金種別に収納する第１〜第４カセットＣ１〜Ｃ４と、識別不良と判定した紙幣や損券紙幣を回収するリジェクトカセットＣ５とを内蔵し、これらをリサイクル式にループ状に搬送経路Ｌ１〜Ｌ４で接続している。
【００４５】
この場合、紙幣処理装置１の上部側を紙幣搬送用の搬送処理群１５として設け、下部側を紙幣収納用の収納処理群１６として設けて、上下を搬送系と収納系とに分離構成している。
【００４６】
上部側の搬送処理群１５には、入出金口１１から識別部１３を介して一時保留部１４に連なる第一搬送経路Ｌ１と、識別部１３の下流位置から分離して入出金口１１に戻る第二搬送経路Ｌ２とを有している。この第二搬送経路Ｌ２には、さらに返却口トレー１２に異物等を搬送する第三搬送経路Ｌ３をその下流に設けている。
【００４７】
また、入出金口１１の前段には、紙幣Ａ…を整列集積する集積ホイール１７を配設して整列集積を促進し、またこの整列集積に基づいて繰出し時の安定した繰出し動作を促進している。
【００４８】
一方、下部側の収納処理群１６には、一時保留部１４から延びて第一搬送経路Ｌ１の上流に接続されるループ状の第四搬送経路Ｌ４と、紙幣処理装置１の前面側から後面側にかけて千円札、五千円札、万円札、予備札や混合札を収納する第１〜第４カセットＣ１〜Ｃ４とリジェクトカセットＣ５と、を配設し、第四搬送経路で搬送される紙幣を、これらのカセットＣ１〜Ｃ５に出入れすることで入出金取引を許容している。
【００４９】
また、これら搬送経路Ｌ１〜Ｌ４および下方の各カセットＣ１〜Ｃ５の紙幣出入れ部分には、紙幣Ａの通過を検知確認する通過検知センサ（図示せず）を複数配設して、紙幣の入出金処理状態等を検知確認している。
【００５０】
次に、この紙幣処理装置の紙幣の搬送処理について説明する。  
例えば、入金時に入出金口１１に投入された紙幣Ａ…は、入出金口１１→第一搬送経路Ｌ１→識別部１３→一時保留部１４の順で搬送処理する入金経路を介して一時保留部１４に一時保留し、次処理の入金確定処理か入金取消し処理かに備えて待機する。
【００５１】
入金確定すると、一時保留部１４から紙幣Ａ…を繰出して→第四搬送経路Ｌ４→カセットＣ１〜Ｃ５の順で搬送処理する収納経路を介して、各カセットＣ１〜Ｃ５に振分けて、紙幣を収納処理する。
【００５２】
これに対し、入金取消し時は、一時保留部１４から紙幣Ａ…を繰出し→第四搬送経路Ｌ４→第一搬送経路Ｌ１→識別部１３→第二搬送経路Ｌ２→集積ホイール１７→入出金口１１という順で返却処理する。
【００５３】
なお、入金時に識別部１３において異物と判断された紙幣等については、一時保留部１４には搬送されず、第二搬送経路Ｌ２、第三搬送経路Ｌ３を介して返却トレー１２に返却される。
【００５４】
また、出金時には、金種に対応する第１〜第４カセットＣ１〜Ｃ４から紙幣Ａ…を繰出し→第四搬送経路Ｌ４→第１搬送経路Ｌ１→識別部１３→第二搬送経路Ｌ２→集積ホイール１７→入出金口１１という順で出金処理する。
【００５５】
次に、入出金口１１の詳細構造について説明する。図２は紙幣投入及び取出し時における入出金口１１の詳細断面図、図３はその平面図である。
【００５６】
入出金口１１には、図２に示すように、紙幣Ａの投入及び取出しを行う際に開閉するシャッター２１、紙幣収納スペースＳを確保するよう傾斜して略上下方向に延びる縦壁部２２、集積紙幣Ａ…の下端を支持するよう略水平方向に延びる底面部２３、縦壁部２２の対向位置に配置され紙幣収納スペースＳに露出する集積ホイール１７、その集積ホイール１７の露出部分に位置して集積ホイール１７を保護する保護板２４、その保護板２４を移動制御する移動リンク機構２５、紙幣集積時に集積紙幣Ａ…を支持するセパレータ２６、入金時に集積紙幣Ａ…を装置内に繰出す繰出し機構２７を備えている。
【００５７】
このうち、前述の集積ホイール１７は、中央に回転軸２８を有し、その周囲に放射状に且つ湾曲して延びる複数の片１７ａ…を有しており、この片１７ａ…の間に、第三搬送経路Ｌ３から搬送されてきた紙幣Ａを一枚ずつ挟み込み、図面上、時計回りに回転することで紙幣収納スペースＳに紙幣Ａ…を整列集積するように構成している（後述図５参照）。
【００５８】
また、この集積ホイール１７の各片１７ａ…は、図２からも分かるように、繊細で且つその先端部が紙幣投入方向Ｚに対して対向するように設定されており、操作者の手Ｈと干渉すると容易に破損しやすい配置関係となっている。
【００５９】
前述の保護板２４は、こうした破損しやすい集積ホイール１７の露出部分に位置し、集積ホイール１７を保護している。具体的には、この保護板２４は、略上下方向に延びて紙幣繰出し時集積紙幣Ａ…を押圧する押圧面２４ａと、略水平方向に延びて上方からの操作者の手の差込み投入に対して集積ホイールを保護する保護面２４ｂと、を有する略Ｌ字状断面のプレート部材で構成され、集積ホイール１７の外周端よりも縦壁部２２側に位置することで、集積ホイール１７を保護している。
【００６０】
この保護板２４は、図３に示すように、回転軸２８上に設けた３つの集積ホイール１７…間に１つずつ、計４つ配置され、後述する移動リンク機構２５により、その集積ホイール１７…間で出没自在に移動するように構成している。
【００６１】
なお、一点鎖線で示した矩形ラインＫは、シャッター２１を開放した状態の入出金口１１の開口ラインを示したものである。この図から、入出金口１１内の紙幣収納スペースＳに集積ホイールが露出していることが分かる。
【００６２】
この保護板２４の押圧面２４ａと保護面２４ｂは、連続する曲面２４ｃで連なるように形成される。このように曲面で押圧面と保護面を連続させることにより、押圧面においても、集積ホイールの保護をはかる機能を持たせることができる。
【００６３】
また、保護面２４ｂの後端部には上方に延びる鉤部２４ｄを形成している。このように鉤部を形成することにより、後述する紙幣集積後の保護板が退避位置から保護位置に移行する際に、集積ホイール上に残存した紙幣を紙幣収納スペース内に払い落とすことが可能となる。
【００６４】
なお、本実施態様では、保護板の押圧面と保護面がなす角度αを約１００°に設定しているが、この角度αについては、特に限定されるものではない。
【００６５】
前述の移動リンク機構２５は、保護板２４を移動させるべく、保護板２４の中央に回動自在に軸支されたメインリンク２５ａと、保護板２４に突出形成した係合部２４ｅにスライド自在に係合するサブリンク２５ｂとからなる。
【００６６】
まず、このうちメインリンク２５ａは、下端が装置の固定部に対して回動自在に軸支され（回動軸２５ｃ）、上端が保護板２４の押圧面２４ａ背面に回動自在に軸支された（回動軸２５ｄ）、略くの字状のリンク部材で構成している。また、サブリンク２５ｂは、下端がメインリンク２５ａ同様に装置の固定部に対して回動自在に軸支され（回動軸２５ｅ）、上端が保護板２４の押圧面２４ａ背面に形成した略Ｊ字状の係合溝部２９にスライド係合された（回動軸２５ｆ）、Ｉ字状のリンク部材で構成している。
【００６７】
このように構成した、メインリンク２５ａとサブリンク２５ｂを、それぞれ回動することにより、保護板２４を集積ホイール１７間で出没自在に移動させることが可能となる。なお、具体的な各リンクの動きは後述する。
【００６８】
前述のセパレータ２６は、略上下方向に延びる平板状のプレート部材で構成され、図示しない移動機構により、紙幣収納スペースＳを縦壁部２２と平行に水平移動する。このセパレータ２６は、紙幣集積時に、集積ホイール１７側に移動して集積紙幣Ａ…を支持する。
【００６９】
前述の繰出し機構２７は、縦壁部２２に設けたピックアップローラ２７ａ、フィードローラ２７ｂ、それと底面部２３側に設けたゲートローラ２７ｃとから構成される。繰出し時には、ピックアップローラ２７ａとフィードローラ２７ｂを繰出し方向（図４参照）に回転させることで、縦壁部２２と底面部２３との間から紙幣Ａを一枚ずつ第一搬送経路Ｌ１に繰出す。
【００７０】
次に、図２、図４〜図１０により、この入出金口１１の作動及び制御方法について説明する。図２、図４、図５は入出金口の各作動過程における詳細断面図、図６〜図１０は入出金口１１の制御方法を示したフローチャートである。なお、図４、図５の具体的な説明については、図２と同一符号を付して省略する。
【００７１】
まず、図６のフローチャートに示す待機時（アイドル時）の制御方法について説明する。初めにＳ１で紙幣処理装置１に電源を投入すると、紙幣処理装置１はＳ２でアイドル状態となる。このアイドル状態を検出すると、Ｓ３で保護板２４を退避位置に移動させる。
【００７２】
この退避位置とは、図５に示す保護板２４の位置である。すなわち、保護板２４を、集積ホイール１７の回転軸２８側に後倒した位置である。
【００７３】
この退避位置に保護板２４を移動させるには、メインリンク２５ａ下端の回動軸２５ｃを、回転モータ（図示せず）によって、矢印で示すように反時計廻りに回動させることで、保護板２４を集積ホイール１７の回転軸２８側に引き込み、その引き込まれた保護板２４の傾斜角を、係合溝部２９にスライド係合したサブリンク２５ｂでコントロールすることで行う。
【００７４】
このように、保護板２４を退避位置に移動させた状態で、Ｓ４で操作者の取引処理の指示を待つ。
【００７５】
次に、図７のフローチャートに示す紙幣投入時の制御方法について説明する。操作者が紙幣入金の取引指示を行った場合には、Ｓ１１で保護板２４を図２に示す保護位置に移動させる。すなわち、集積ホイール１７と操作者の手Ｈが干渉しないように、集積ホイール１７の外周端よりも縦壁部２２側に保護板２４を位置させる。
【００７６】
この保護位置への移動も、前述と同様、メインリンク２５ａ下端の回転軸２５ｃを回転モータによって時計廻りに回動させることで、保護板２４を立ち上げ、その立ち上げた保護板２４の傾斜角をサブリンク２５ｂでコントロールすることで行う。
【００７７】
そして、Ｓ１２でシャッターを開放して、入出金口１１の紙幣収納スペースＳを外部に開放し、Ｓ１３で操作者の紙幣投入を待つ。
【００７８】
その後、操作者が紙幣Ａの投入を行うことで、Ｓ１４で紙幣の投入完了が検知されると、Ｓ１５でシャッター２１を閉鎖して、紙幣収納スペースＳを封鎖する。こうして、次の紙幣繰出しに備える。
【００７９】
このとき、入出金口１１の紙幣収納スペースＳに操作者が手Ｈを差し込んでも、保護板２４が保護位置に位置しているため、集積ホイール１７と操作者の手Ｈが干渉することはなく、集積ホイール１７は保護される。
【００８０】
なお、各保護板２４…の間隔は、図３に示すように１つの集積ホイール１７の幅より若干広く設定されているが、操作者が手Ｈを差し込むことができない間隔に設定されているため、確実に集積ホイール１７を保護することができる。
【００８１】
次に、図８のフローチャートに示す紙幣繰出し時の制御方法について説明する。紙幣収納スペースＳに紙幣Ａを投入した状態で、操作者が入金の取引指示を行った場合には、Ｓ２１で保護板２４を押圧位置に移動させ、集積紙幣Ａ…を押圧する。
【００８２】
この保護板２４の押圧位置とは、図４に示す保護板２４の位置である。すなわち、保護板２４を縦壁部２２側に移動させ、集積紙幣Ａ…を押圧する位置である。
【００８３】
この押圧位置への移動も、前述と同様、メインリンク２５ａ下端の回転軸２５ｃを回転モータによって時計廻りに回動させることで、保護板２４を縦壁部２２側に移動させ、サブリンク２５ｂでその保護板２４の傾斜角をコントロールすることで行う。
【００８４】
こうして集積紙幣Ａ…を押圧した状態で、Ｓ２２でピックアップローラ２７ａ及びフィードローラ２７ｂの回転駆動を開始する。そして、Ｓ２３で集積紙幣Ａ…を入出金口１１の紙幣収納スペースＳから、一枚ずつ第一搬送経路Ｌ１に繰出す（図４参照）。
【００８５】
こうして紙幣Ａを繰出した後、Ｓ２４で入出金口１１に紙幣Ａが残存していないかを検出し、残存していないことを検出するとＳ２５で保護板２４を退避位置に移動して、Ｓ２６でピックアップローラ２７ａ及びフィードローラ２７ｂの回転駆動を停止する。なお、この保護板２４の退避位置への移動も、前述と同様、メインリンク２５ａとサブリンク２５ｂを回動させることにより行う。
【００８６】
このとき、保護板２４は、押圧位置に位置して集積紙幣Ａ…を押圧するため、繰出し機構２７による紙幣繰出しを補助する押圧板として機能することになる。
【００８７】
次に、図９のフローチャートに示す紙幣集積時の制御方法について説明する。操作者が紙幣出金の取引指示を行った場合には、Ｓ３１で保護板２４を図５に示す退避位置に移動させる。すなわち、前述したように、保護板２４を集積ホイール１７の回転軸２８側に後倒させる。
【００８８】
そして、Ｓ３２で紙幣Ａの搬送タイミングに合わせて、集積ホイール１７を回転駆動し、Ｓ３３で紙幣Ａを一枚ずつ入出金口１１の紙幣収納スペースＳに集積する。なお、このとき、図５に示すように、セパレータ２６を集積ホイール１７側に移動させておき、集積紙幣Ａ…を保持する。
【００８９】
そして、Ｓ３４で入出金口１１の紙幣収納スペースＳに紙幣Ａが指定枚数集積されたかをカウントし、指定枚数集積されたことを検出すると、Ｓ３５で紙幣Ａの集積を完了して集積ホイール１７の回転を停止する。
【００９０】
このとき、保護板２４は、前述したように退避位置にあるため、集積ホイール１７の紙幣集積を阻害しない
図１１は、紙幣集積時の平面図である。この図から分かるように、紙幣Ａは、集積ホイール１７の後方側から、一枚ずつ長手方向を横にして搬送され、集積ホイールの片１７ａの間に一枚ずつ挟み込まれる。
【００９１】
そして、集積ホイール１７を搬送タイミングに合わせて回転駆動することで、セパレータ２６との間に紙幣Ａを立てて整列集積する。このとき、セパレータ２６は付勢手段（図示せず）で集積ホイール１７側に付勢されることから、紙幣Ａを集積ホイール１７側に付勢して、その集積幅の増大を防いでいる。
【００９２】
このように、集積ホイール１７を用いて紙幣Ａを集積することで、損傷の多い紙幣Ａを集積する場合にも、その集積幅をコンパクトにすることができるため、限られた紙幣収納スペースＳであっても、出金額を増加させることができ、また、紙幣収納スペースＳ内での詰まり、所謂ジャムの発生も抑えることができる。
【００９３】
図１２は、紙幣集積時の正面図である。この図から分かるように、回転軸２８上に設けた３つの集積ホイール１７は、紙幣Ａの中央とその両側を挟み込んで集積を行うように設置しているが、紙幣の端部Ａａを挟み込むようには設置していない。これは損傷の多い紙幣の場合、図示するようにその端部Ａａが下側に折れ曲がり垂れた状態になるため、端部を挟み込むように集積ホイール１７を設置するとジャムが生じやすくからである。
【００９４】
次に、図１０のフローチャートに示す紙幣取出し時の制御方法について説明する。この制御は、通常、前述の紙幣集積制御の後に行われる。
【００９５】
まず、集積ホイール１７の回転を停止した（Ｓ３５参照）後に、Ｓ４１で保護板２４を前述の保護位置に移動させる。そして、Ｓ４２でシャッター２１を開放して、紙幣収納スペースＳから集積紙幣Ａ…の取り出しを許容する。
【００９６】
そして、Ｓ４３で操作者の紙幣取出しを待ち、その後、Ｓ４４で紙幣Ａの取出し完了が検知されると、Ｓ４５でシャッター２１を閉鎖して紙幣収納スペースＳを封鎖する。
【００９７】
このとき、保護板２４は、紙幣投入時と同様、保護位置に位置しているため、紙幣取出し時に紙幣収納スペースＳに操作者が手Ｈを差し込んだとしても、集積ホイール１７と操作者の手Ｈが干渉することはなく、集積ホイール１７は保護される。
【００９８】
また、保護板２４を退避位置から保護位置に移行させる際、その後端部に形成した鉤部２４ｄによって、集積ホイール１７上に残存する紙幣Ａを、紙幣収納スペースＳ側に払い落とすこともできるため、ジャムの発生を防止することができる。
【００９９】
なお、以上の保護板２４の保護位置、押圧位置、退避位置は、移動リンク機構２５の回動角を遮光センサ（図示せず）で検出することで、位置確認しているが、その他の方法で位置確認を行ってもよい。
【０１００】
次に、以上のように構成した本実施態様の作用及び効果について詳述する。  
このように、本実施態様の紙幣処理装置は、紙幣Ａの入金と出金とを行う紙幣処理装置１にあって、該装置１に対して紙幣Ａの入出金を行う入出金口１１と、該入出金口１１内に露出するように配置され、該入出金口１１内に紙幣Ａを一枚ずつ分離集積する集積ホイール１７と、該集積ホイール１７の露出部分に位置し、集積ホイール１７を保護する保護板２４と、前記集積ホイール１７の紙幣集積時に、前記保護板２４を前記集積ホイール１７の保護位置から集積作業に影響を与えない退避位置に移動させる移動リンク機構２５とを備えたものである。
【０１０１】
上記構成によれば、紙幣の入金を行う入金口と出金を行う出金口を、一つの入出金口１１とすることで共通化して、その入出金口１１内に露出するように配置した集積ホイール１７で紙幣Ａを一枚ずつ入出金口１１内に集積し、その集積ホイール１７を露出部分に位置する保護板２４で保護しつつ、集積ホイール１７による紙幣集積時には、その保護板２４を移動リンク機構２５で集積作業に影響を与えない退避位置に移動させることになる。
【０１０２】
すなわち、紙幣の入出金口を一つとすることで、装置のコンパクト化を図り、集積ホイール１７で紙幣を集積することで、損傷が多い紙幣Ａの集積であっても集積幅の増大を防ぎ、また、この集積ホイール１７の露出部分を、移動リンク機構２５で移動可能な保護板２４で保護することで、操作者の手Ｈとの干渉を防ぐのである。
【０１０３】
よって、入出金口１１を共通化することで装置１のコンパクト化を図り、その入出金口１１の近傍に集積ホイール１７を設けることで、紙幣Ａの詰まり等を防止しつつも、その入出金口１１内に操作者が手Ｈを差し込んでも、集積ホイール１７を破損しないようにすることができる。
【０１０４】
なお、この保護板２４は、集積ホイール１７の露出部分に操作者の手が触れないように保護するものであるが、集積ホイール１７の露出部分を保護するものであれば、特に形状及び移動形態は限定されるものではない。
【０１０５】
また、この実施態様では、前記保護板２４を、紙幣繰出し時に集積紙幣Ａ…を押圧する押圧板として機能させている。
【０１０６】
上記構成によれば、例えば、予め押圧板を設けているような紙幣処理装置の場合には、別途保護板２４のために、別部材を設けなくてもよい。
【０１０７】
よって、部品点数を増加させることなく、コストアップをできるだけ抑えつつ、集積ホイール１７の破損を防止することができる。
【０１０８】
また、この実施態様では、紙幣の入金と出金とを行う紙幣処理装置１にあって、該装置１に対して紙幣Ａの入出金を行う入出金口１１と、該入出金口１１内に露出するように配置され、該入出金口１１内に紙幣Ａを一枚ずつ分離集積する集積ホイール１７と、該集積ホイール１７の露出部分に位置し、集積ホイール１７を保護する保護板２４と、該保護板２４を、集積ホイール１７を保護する保護位置、紙幣集積に影響を与えない退避位置、及び集積紙幣Ａ…を押圧する押圧位置にそれぞれ移動させる移動リンク機構２５とを備えたものである。
【０１０９】
上記構成によれば、紙幣の入金を行う入金口と出金を行う出金口を一つの入出金口１１とすることで共通化して、その入出金口１１内に露出するように配置した集積ホイール１７で紙幣Ａを一枚ずつ入出金口１１内に集積し、その集積ホイール１７を露出部分に位置する保護板２４で保護しつつ、その保護板２４を、集積ホイール１７を保護する保護位置、紙幣集積に影響を与えない退避位置、及び集積紙幣Ａ…を押圧する押圧位置に、それぞれ移動リンク機構２５で移動させることになる。
【０１１０】
すなわち、入出金口１１を一つとすることで装置のコンパクト化を図り、集積ホイール１７を用いることで損傷が多い紙幣の集積であっても集積幅の増大を防ぎ、また、集積ホイール１７を保護する保護板２４を、移動リンク機構２５で保護位置、退避位置、押圧位置といった３つの位置を移動させるため、一つの保護板２４に様々な機能を持たせることができる。
【０１１１】
具体的には、保護位置に移動させることにより、集積ホイール１７を保護する機能、退避位置に移動させることにより、集積ホイール１７の集積作業を阻害しない機能、さらに押圧位置に移動させることにより、繰出す集積紙幣Ａ…を押圧する機能を、一つの保護板２４に持たせることができる。
【０１１２】
また、この実施態様では、前記集積ホイール１７を、複数の片１７ａ…が所定の傾斜角を持って放射状に延びる回転体で構成し、該集積ホイール１７を、その片１７ａが前記入出金口１１の紙幣投入方向に略対向して延びるように配置したものである。
【０１１３】
上記構成によれば、集積ホイール１７を、その片１７ａが入出金口の紙幣投入方向に略対向して延びるように配置しているため、破損しやすい集積ホイールの片１７ａと紙幣投入を行う操作者の手とが干渉しやすくなるが、前述のように保護板２４で集積ホイール１７を保護するため、操作者の手Ｈが集積ホイール１７に干渉することなく、集積ホイール１７の破損を防止することができる。
【０１１４】
また、この実施態様では、前記集積ホイール１７を、回転軸２８方向に離間して複数設け、該複数の集積ホイール１７の間に、前記保護板２４を配置し、前記保護位置では、該保護板２４を集積ホイール１７の外周端より外方に突出させ、前記退避位置では、該保護板２４を集積ホイール１７の回転軸側に没入するように、前記移動リンク機構２５を制御したものである。
【０１１５】
上記構成によれば、複数の集積ホイール１７を回転軸２８方向に離間して配置し、その集積ホイール１７の間に保護板２４を配置し、その間で保護板２４が出没するように移動リンク機構２５を制御することになる。このため、保護板２４は集積ホイール１７の間のスペースで出没することになるため、保護板２４の退避スペースを別途設ける必要がない。よって、装置１を大型化することなく保護板２４を配置することができる。
【０１１６】
また、この実施態様では、前記集積ホイール１７の回転軸方向に集積ホイール１７と保護板２４を複数交互に配置し、そのうち保護板２４を外端部に位置するように設定したものである。
【０１１７】
上記構成によれば、集積ホイール１７と保護板２４を交互に配置し、保護板２４を外端部に配置することになるため、集積ホイール１７は外端部には位置しない。このため、紙幣集積時に紙幣Ａの端部を集積ホイール１７で挟み込まないため、端部が垂れ下がるような損傷の多い紙幣Ａであっても、確実に集積することができる。よって、損傷が多い紙幣Ａであってもスムーズに集積することができる。
【０１１８】
また、この実施態様では、前記保護板２４を、集積紙幣Ａを押圧する略上下方向に延びる押圧面２４ａと該押圧面２４ａの上端から略水平方向に延びて集積ホイール１７を保護する保護面２４ｂを備える断面略Ｌ字状のプレート部材で構成したものである。
【０１１９】
上記構成によれば、押圧面２４ａと保護面２４ｂとを有する断面略Ｌ字状のプレート部材で保護板２４を構成しているため、それぞれの面で押圧機能と保護機能を確実に確保することができる。すなわち、押圧する方向が略水平方向であるため、それと直交する略上下方向に押圧面２４ａを設けることで押圧機能を確保することができ、また、操作者の手Ｈを差し込む方向が略上下方向であることから、それと直交する略水平方向に保護面２４ｂを設けることで保護機能を確保することができる。
【０１２０】
また、この実施態様では、前記保護板２４の押圧面２４ａと保護面２４ｂを連続する曲面によって連ならせたものである。
【０１２１】
上記構成によれば、保護板２４の押圧面２４ａと保護面２４ｂとがなだらかに連なることになるため、押圧面に押圧機能だけでなく集積ホイール１７の保護機能を持たせることができる。よって、押圧面２４ａを利用して保護面積を広く確保することができる。
【０１２２】
また、この実施態様では、前記保護板２４の保護面２４ａの後端部に上方に突出する鉤部２４ｄを設けたものである。
【０１２３】
上記構成によれば、保護板２４の保護面２４ａの後端部に上方に突出する鉤部２４ｄを設けたことにより、集積ホイール１７による集積作業後、集積ホイール１７上に集積途中の紙幣Ａが残存していたとしても、保護板２４を移動させる際にその鉤部２４ｄで集積方向に払い落とすことができるため、集積ホイール１７上に紙幣Ａを残存させることなく、紙幣Ａを確実に集積することができる。よって、紙幣Ａの搬送処理をより効率的に行うことができる。
【０１２４】
以上、この発明の構成と、前述の実施態様との対応において、
この発明の保護部材は、実施態様の保護板２４に対応し、
以下同様に、
移動制御手段は、移動リンク機構２５及び回転モータに対応し、
押圧板は保護板２４に対応するも、
この発明は、前述の実施態様の構成のみに限定されるものではなく、その他様々な実施態様を含むものである。
【図面の簡単な説明】
【０１２５】
【図１】本発明を採用した紙幣処理装置の内部構造概略図。
【図２】入出金口の紙幣投入及び取出しの際の詳細断面図。
【図３】入出金口の紙幣投入及び取出しの際の平面図。
【図４】入出金口の紙幣繰出しの際の詳細断面図。
【図５】入出金口の紙幣集積の際の詳細断面図。
【図６】待機時の制御方法を示すフローチャート。
【図７】紙幣投入時の制御方法を示すフローチャート。
【図８】紙幣繰出し時の制御方法を示すフローチャート。
【図９】紙幣集積時の制御方法を示すフローチャート。
【図１０】紙幣取出し時の制御方法を示すフローチャート。
【図１１】入出金口の紙幣集積時の平面図。
【図１２】入出金口の紙幣集積時の正面図。
【符号の説明】
【０１２６】
１…紙幣処理装置
１１…入出金口
１７…集積ホイール
２４…保護板（保護部材、押圧板）
２５…移動リンク機構（移動制御手段）
【図１】
2005275521.tif 000003
【図２】
2005275521.tif 000004
【図３】
2005275521.tif 000005
【図４】
2005275521.tif 000006
【図５】
2005275521.tif 000007
【図６】
2005275521.tif 000008
【図７】
2005275521.tif 000009
【図８】
2005275521.tif 000010
【図９】
2005275521.tif 000011
【図１０】
2005275521.tif 000012
【図１１】
2005275521.tif 000013
【図１２】
2005275521.tif 000014